(57)【要約】      （修正有）【課題】生き物を飼う水槽の水（塩水を含む）を浄化するための濾材を提供する。【解決手段】ゼオライト粉砕粒子を含むセラミック素材からなる円筒状ブロック体の内表面及び外表面に軸方向に沿って直線状又は螺旋状に連続する突条を形成し、外表面同士の接触面積を少なくするとともに、内表面及び外表面の全体が循環経路中を流れる水との接触面積を多くした。また、前記突条のうち、少なくとも外表面の突条を６等配位置にし、外表面のバランスを良くしたこと、さらに、外表面の突条を断面六角ボルト状にし、より製造し易くしたこと、さらにまた、前記セラミック素材中にトルマリン粉砕粒子及び又はバクハン石粉砕粒子を混入し、トルマリンに含まれる金属イオンの溶出によるミネラル分の増大化及びバクハン石により水中の有害物質の吸着による浄化性能の向上が図れるように構成した。【選択図】図１
0003151373.tif 000002
【実用新案登録請求の範囲】
【請求項１】
ゼオライト粉砕粒子を含むセラミック素材からなる円筒状ブロック体の内表面及び外表面に軸方向に沿って直線状又は螺旋状に連続する突条を形成したことを特徴とする水槽用濾材。
【請求項２】
ゼオライト粉砕粒子を含むセラミック素材からなる円筒状ブロック体の内表面及び外表面に軸方向に沿って直線状又は螺旋状に連続する突条を形成してなり、該突条のうち、少なくとも外表面の突条が６等配位置にあることを特徴とする水槽用濾材。
【請求項３】
ゼオライト粉砕粒子を含むセラミック素材からなる円筒状ブロック体の内表面及び外表面に軸方向に沿って直線状又は螺旋状に連続する突条を形成してなり、該突条のうち、少なくとも外表面の突条が断面六角ボルト状であることを特徴とする水槽用濾材。
【請求項４】
ゼオライト粉砕粒子を含むセラミック素材からなる円筒状ブロック体の内表面及び外表面に軸方向に沿って直線状又は螺旋状に連続する突条を形成してなり、前記セラミック素材中にトルマリン粉砕粒子及び又はバクハン石粉砕粒子を混入したことを特徴とする水槽用濾材。
【考案の詳細な説明】
【技術分野】
【０００１】
本考案は、金魚や海老や熱帯魚等の生き物を飼う水槽の水（塩水を含む）を浄化処理するために使用する水槽用濾材に関するものである。
【背景技術】
【０００２】
最近、金魚や海老や熱帯魚等の生き物を飼う人が多い。その水槽に使用する水（又は塩水）は、餌の残留物や生き物の糞（排出物）などにより汚れることから、適時、浄化する必要がある。この浄化のため、例えば、図４の如く、生き物の水槽Ａの水をモーターＭを経て汲み上げて該水槽Ａに戻す水流の循環経路Ｂ中に、濾過ハウジング４１を設置し、該濾過ハウジング４１を通して上記汚れを除去できるようにしていた。前記濾過ハウジング４１はその上部（上流側）にゼオライト粉砕粒子を含むセラミック素材からなる円筒状ブロック体４４を充填し、連続気泡の発泡体やウールマット等からなる透過板４３を介して下部（下流側）にゼオライト粉砕粒子を含むセラミック素材からなる球体４２が充填されていた。
【考案の開示】
【考案が解決しようとする課題】
【０００３】
しかしながら、上記濾過ハウジング４１の上部に充填した円筒状ブロック体４４の外表面は滑らかであり、外表面同士の接触面積が多い反面、循環経路Ｂ中を流れる水流水との接触面積が少なかった。しかも、円筒状ブロック体４４の内表面も滑らかで、水流と内表面との接触面積も限られ、餌の残留物や生き物の糞（排出物）などの浄化性能に限界を生じていた。
【０００４】
本考案は、上記問題を解消するためのもので、その目的とするところは、円筒状ブロック体の外表面同士の接触面積を少なくして循環経路中を流れる水との接触面積を多くするとともに、水流と内表面との接触面積も増大化して浄化性能を高めることのできる水槽用濾材を提供することにある。
【課題を解決するための手段】
【０００５】
上記目的を達成するため、本考案に係る水槽用濾材は、ゼオライト粉砕粒子を含むセラミック素材からなる円筒状ブロック体の内表面及び外表面に軸方向に沿って直線状又は螺旋状に連続する突条を形成したことを特徴とし、外表面同士の接触面積を少なくするとともに、内表面及び外表面の全体が循環経路中を流れる水との接触面積を多くするように構成した。
【０００６】
また、請求項２に記載の水槽用濾材は、ゼオライト粉砕粒子を含むセラミック素材からなる円筒状ブロック体の内表面及び外表面に軸方向に沿って直線状又は螺旋状に連続する突条を形成してなり、該突条のうち、少なくとも外表面の突条が６等配位置にあることを特徴とし、外表面のバランスが良く、しかも、突条を脆くしないように構成した。
【０００７】
さらに、請求項３に記載の水槽用濾材は、ゼオライト粉砕粒子を含むセラミック素材からなる円筒状ブロック体の内表面及び外表面に軸方向に沿って直線状又は螺旋状に連続する突条を形成してなり、該突条のうち、少なくとも外表面の突条が断面六角ボルト状であることを特徴とし、より製造し易くなるように構成した。
【０００８】
さらにまた、請求項４に記載の水槽用濾材は、ゼオライト粉砕粒子を含むセラミック素材からなる円筒状ブロック体の内表面及び外表面に軸方向に沿って直線状又は螺旋状に連続する突条を形成してなり、前記セラミック素材中にトルマリン粉砕粒子及び又はバクハン石粉砕粒子を混入したことを特徴とし、ゼオライトが持つ陽イオン交換能のほか、トルマリンに含まれる金属イオンの溶出によるミネラル分の増大化及びバクハン石により水中の有害物質の吸着による浄化性能の向上が図れるように構成した。
【考案の効果】
【０００９】
本考案（請求項１）に係る水槽用濾材によれば、ゼオライト粉砕粒子を含むセラミック素材を固めてなる円筒状ブロック体の内表面及び外表面に軸方向に沿って直線状又は螺旋状に連続する突条を形成したことを特徴としているから、ゼオライトが持つ陽イオン交換能のために水の軟水化行われるほか、外表面同士の接触面積が少ない一方、内表面及び外表面の全体が循環経路中を流れる水との接触面積が多くなり、金魚や海老や熱帯魚等の生き物を飼うための水（又は塩水）の水流を停滞させずに良く浄化処理できるという優れた効果を奏するものである。
【００１０】
また、請求項２に係る水槽用濾材によれば、ゼオライト粉砕粒子を含むセラミック素材からなる円筒状ブロック体の内表面及び外表面に軸方向に沿って直線状又は螺旋状に連続する突条を形成し、該突条のうち、少なくとも外表面の突条が６等配位置に形成されていることを特徴としているから、請求項１の効果はもとより、外表面のバランスが良く、しかも、突条が脆くせず、製造コストの低減化が可能になるという優れた効果を奏するものである。
【００１１】
さらに、請求項３に係る水槽用濾材によれば、ゼオライト粉砕粒子を含むセラミック素材からなる円筒状ブロック体の内表面及び外表面に軸方向に沿って直線状又は螺旋状に連続する突条を形成してなり、該突条のうち、少なくとも外表面の突条が断面六角ボルト状であることを特徴としているから、請求項１の効果はもとより、本願濾材の押出成形にあたり、ノズル型枠の加工が容易で、より製造し易くなり、より製造コストの低減化に寄与できるという優れた効果を奏するものである。
【００１２】
さらにまた、請求項４に係る水槽用濾材によれば、ゼオライト粉砕粒子を含むセラミック素材からなる円筒状ブロック体の内表面及び外表面に軸方向に沿って直線状又は螺旋状に連続する突条を形成してなり、前記セラミック素材中にトルマリン粉砕粒子及び又はバクハン石粉砕粒子を混入したことを特徴としているから、ゼオライトが持つ陽イオン交換能のほか、トルマリンに含まれる金属イオンの溶出によるミネラル分の増大化及びバクハン石により水中の有害物質の吸着により浄化性能を高め得るという優れた効果を奏するものである。
【考案を実施するための最良の形態】
【００１３】
次に、本考案を実施するための最良の形態を図面に基づいて説明する。図１は本願濾材の斜視図、図２は外表面の突状の断面図で、（ａ）は隆起した突条、（ｂ）は凹溝間の突条、図３は本願濾材の断面図で、（ａ）は６等配位置の畝突条、（ｂ）は六角ボルト状である。
【００１４】
本願濾材１は、ゼオライト粉砕粒子を含むセラミック素材を円筒状ブロック体２に成形してなる。該円筒状ブロック体２は、例えば、耐食性のよいアルミナ、シリカなどの粉体に、ゼオライト粉砕粒子を混ぜて焼結しつつ押出成形機のノズル型枠（図示せず）より押出して得たセラミックスの多孔質体で構成されている。セラミック素材に混入するゼオライトは、結晶中に微細孔を持つアルミナ珪酸塩で、粉砕粒子としたゼオライトは、微細孔内と水溶液中でイオン交換が起き、水の硬度を下げる等の機能を有する。
【００１５】
前記円筒状ブロック体２の押出成形時に、その内表面及び外表面に軸方向に沿って突条３ａ、３ｂが形成されている。該突条３ａ、３ｂは、押出成形機のノズル型枠を固定しておくことにより直線状に連続するし、ノズル型枠を旋回させることにより螺旋状に連続することとなる。
【００１６】
前記外表面の突条３ｂは、図４の如く、濾過ハウジング４１内に本願濾材１の多数個を詰め込んだときに、外表面が互いに密接しないようにして、水槽Ａの循環経路Ｂを流れる水（濾過水）との接触面積を多くするためである。また、内表面の突条３ａは前記循環経路Ｂを流れる水のうち、分流した一部が円筒状ブロック体２の内孔内を通過するときに水との接触面積を増大させるよう機能している。
【００１７】
前記外表面の突条３ｂは、図１及び図３（ａ）の如く、前記円筒状ブロック体２の外表面の６等配位置に形成されている。ここに６等配位置に形成したのは、外表面のバランスを良くするとともに、突条３ｂを脆くさせないためにも有効である。勿論、バランス性や脆さを考慮しなければ、外表面は６等配位置にしなくてもよい。なお、内表面の突条３ａは、外表面の突条３ｂの数と同一である必要はない。また、突条３ｂは、図２（ａ）の如く、表面Ｈより畝状に隆起Ｒした突条であっても、同図（ｂ）の如く、表面Ｈより掘り下げた凹溝Ｍ間にできた突条であっても同一の結果が得られる。
【００１８】
前記外表面の突条３ｂは、畝状に隆起Ｒさせたり、凹溝Ｍ間にできた突条にするばかりでなく、断面六角ボルト状に形成しても良い（図３（ｂ）参照）。すなわち、断面六角ボルト状の各角は隆起Ｒに相当する。また、内表面の突条３ａは断面六角ボルト状の各角が凹溝Ｍに相当する。外表面の突条３ｂ及び内表面の突条３ａが、断面六角ボルト状であれば、本願濾材１を押出成形するにあたり、ノズル型枠の製造加工が容易であり、より製造し易くなり、より製造コストの低減化に寄与できる。なお、内表面の突条３ａは、必ずしも図３（ｂ）の如く、断面六角になっていなくてもよい。
【００１９】
前記セラミック素材中にはゼオライト粉砕粒子のほかに、トルマリン粉砕粒子又はバクハン石（麦飯石）粉砕粒子、あるいはトルマリン粉砕粒子とバクハン石粉砕粒子の両者を混入してもよい。前記麦飯石は、無数の微細孔を有する石で、その孔にカルキや臭いや雑菌などの水中の有害物質を吸着するし、ミネラル分を溶出する。
【００２０】
前記トルマリン（電気石）は、ナトリウム、マグネシウム、鉄、マンガン、リチウム、アルミニウム、ホウ素、珪素、水素、フッ素などを多く含み、水に溶けると水をミネラル化する。トルマリンによる電気分解から生ずるマイナスイオンの働きで、水槽内で飼う生き物の発育促進させる機能を有している。
【００２１】
すなわち、ゼオライト粉砕粒子を含むセラミック素材中に、上述の如く、トルマリン粉砕粒子又は麦飯石粉砕粒子を混入することによりゼオライトが持つイオン交換能のほか、トルマリンに含まれる金属イオンの溶出によるミネラル分の増大化及びバクハン石粉砕粒子を入れることにより水中の有害物質の吸着による浄化性能の向上が図れる。
【００２２】
前記本願濾材１は、通常、袋（図示せず）に詰めされて販売されるが、その袋にはバクテリヤ粉体を収容した「バクテリヤパック」が添付され、本願濾材１とともに濾過ハウジング内にて同時に使用するようにするとよい。これにより金魚や海老や熱帯魚等の生き物を飼う水槽Ａ内の水をバイオ（ＢＩＯ）による浄化も兼ねることが可能となる。
【産業上の利用可能性】
【００２３】
本願濾材は、金魚や海老や熱帯魚等の生き物を飼う水槽の水（塩水を含む）を浄化処理するために使用するもので、水槽内の水の透明化に寄与でき、水槽内の生き物の動きなどを楽しむ（鑑賞）ために有効で、家庭は勿論、人の集まる会社や事務所において設置される水槽内の水の浄化に広く利用でき、産業上の利用可能性は絶大である。
【図面の簡単な説明】
【００２４】
【図１】本願濾材の斜視図である。
【図２】外表面の突状の断面図で、（ａ）は隆起した突条、（ｂ）は凹溝間の突条である。
【図３】本願濾材の断面図で、（ａ）は６等配位置の畝突条、（ｂ）は六角ボルト状である。
【図４】濾材を使用した濾過装置の説明図である。
【符号の説明】
【００２５】
１  本願濾材
２  円筒状ブロック体
３ａ  内表面の突条
３ｂ  外表面の突条
Ａ  水槽
Ｂ  循環経路
【図１】
0003151373.tif 000003
【図２】
0003151373.tif 000004
【図３】
0003151373.tif 000005
【図４】
0003151373.tif 000006